(57)【要約】【課題】少ない枚数のレンズ構成で、画角等を向上することのできる放射線画像検出用レンズ装置を提供すること。【解決手段】シンチレータ２０から出射されたシンチレーション光を撮像素子５に集光する放射線画像検出用レンズ装置１０では、物体側から像側に第１レンズ１、第２レンズ２、絞り４、および第３レンズ３が順に配置されている。第１レンズ１は、少なくとも一方側の面が非球面で、物体側に凸面を向けた負メニスカスレンズである。第２レンズ２は、像側に凸面を向けた正レンズである。第３レンズ３は、像側に凸面を向けた正レンズである。第１レンズ１の像側のレンズ面１２の有効径Ｄ12、および第１レンズ１の像側のレンズ面１２のサグ量Ｓ12は、以下の式    ０．８  ＜  （Ｄ12／２）／Ｓ12  ＜１．３  ・・条件式（１）を満たしている。【選択図】図１
2017003639.tif 000002
【特許請求の範囲】
【請求項１】
シンチレータから出射されたシンチレーション光を集光する放射線画像検出用レンズ装置であって、
物体側から像側に第１レンズ、第２レンズ、絞り、および第３レンズが順に配置され、
前記第１レンズは、少なくとも一方側のレンズ面が非球面で、物体側に凸面を向けた負メニスカスレンズであり、
前記第２レンズは、像側に凸面を向けた正レンズであり、
前記第３レンズは、像側に凸面を向けた正レンズであり、
前記第１レンズの像側のレンズ面の有効径をＤ12とし、
前記第１レンズの像側のレンズ面のサグ量をＳ12としたとき、
有効径Ｄ12およびサグ量Ｓ12は、以下の式
０．８  ＜  （Ｄ12／２）／Ｓ12  ＜１．３
を満たすことを特徴とする放射線画像検出用レンズ装置。
【請求項２】
前記第２レンズは、物体側に凸面を向けていることを特徴とする請求項１に記載の放射線画像検出用レンズ装置。
【請求項３】
最大画角が８０°以上であることを特徴とする請求項１または２に記載の放射線画像検出用レンズ装置。
【請求項４】
前記第１レンズ、前記第２レンズ、および前記第３レンズを含むレンズ系全体のＦ値が２以下であることを特徴とする請求項１乃至３の何れか一項に記載の放射線画像検出用レンズ装置。
【請求項５】
前記第１レンズの像側の面の中心における曲率半径をＲ12とし、
前記第１レンズ、前記第２レンズ、および前記第３レンズを含むレンズ系全体の焦点距離をｆとしたとき、曲率半径Ｒ12および焦点距離ｆは、以下の式
Ｒ12／ｆ  ≦  ０．９
を満たすことを特徴とする請求項１乃至４の何れか一項に記載の放射線画像検出用レンズ装置。
【請求項６】
前記第２レンズはガラスレンズからなることを特徴とする請求項１乃至５の何れか一項に記載の放射線画像検出用レンズ装置。
【請求項７】
前記第２レンズの屈折率をｎ2とし、
前記第２レンズのアッベ数をν2とし、
前記第３レンズのアッベ数をν3としたとき、
前記屈折率ｎ2、アッベ数ν2、およびアッベ数ν3は、以下の２つの式
１．７  ＜  ｎ2
ν3／ν2  ＜１．６
のいずれをも満たすことを特徴とする請求項１乃至６の何れか一項に記載の放射線画像検出用レンズ装置。
【請求項８】
前記第１レンズの像側のコバ部には遮光層が形成されていることを特徴とする請求項１乃至７の何れか一項に記載の放射線画像検出用レンズ装置。
【発明の詳細な説明】
【技術分野】
【０００１】
本発明は、シンチレータから出射されたシンチレーション光を集光する放射線画像検出用レンズ装置に関するものである。
【背景技術】
【０００２】
医療診断用のＸ線画像を撮影するにあたって、Ｘ線をシンチレータに入射させ、シンチレータから出射されたシンチレーション光を放射線画像検出用レンズ装置によって撮像素子に集光する技術が提案されている（特許文献１参照）。特許文献１に記載の放射線画像検出用レンズ装置は、４群５枚のレンズ構成を有しており、そのＦ値は２．８であり、画角は４６．６°（半画角＝２３．３°）である。
【先行技術文献】
【特許文献】
【０００３】
【特許文献１】特開２００２−３５０５４７号公報
【発明の概要】
【発明が解決しようとする課題】
【０００４】
しかしながら、特許文献１に記載の技術のように、４群５枚のレンズ構成では、レンズ数が多いため、放射線画像検出用レンズ装置のコストが増大するとともに、光軸方向のサイズが大型化してしまう。また、レンズ数が多いため、ゴーストフレアが発生しやすい。また、画角が４６．６°（半画角２３．３°）では、入射角度範囲が狭いので、シンチレータに対して多数の放射線画像検出用レンズ装置を設ける必要がある。また、レントゲン撮影の場合にＦ値が２．８では、明るい画像を得ることができないため、Ｘ線の照射量を高める必要がある。その場合、人体への被爆量が多くなるため、好ましくない。
【０００５】
以上の問題点に鑑みて、本発明の課題は、少ない枚数のレンズ構成で、画角等を向上することのできる放射線画像検出用レンズ装置を提供することにある。
【課題を解決するための手段】
【０００６】
上記課題を解決するために、本発明は、シンチレータから出射されたシンチレーション光を集光する放射線画像検出用レンズ装置であって、物体側から像側に第１レンズ、第２レンズ、絞り、および第３レンズが順に配置され、前記第１レンズは、少なくとも一方側のレンズ面が非球面で、物体側に凸面を向けた負メニスカスレンズであり、前記第２レンズは、像側に凸面を向けた正レンズであり、前記第３レンズは、像側に凸面を向けた正レンズであり、
前記第１レンズの像側のレンズ面の有効径をＤ12とし、前記第１レンズの像側のレンズ面のサグ量をＳ12としたとき、有効径Ｄ12およびサグ量Ｓ12は、以下の式
０．８  ＜  （Ｄ12／２）／Ｓ12  ＜１．３
を満たすことを特徴とする。
【０００７】
本発明では、シンチレータから出射されるシンチレーション光では、波長域が狭いので、色収差に対する対策を重要視する必要がない。このため、画角や明るさの向上を優先して、レンズの枚数を３枚とすることができる。それ故、放射線画像検出用レンズ装置のコストを低減することができるとともに、光軸方向のサイズを小型化することができる。また、レンズ数が少ないため、ゴーストフレアが発生しにくい。また、第１レンズは、少なくとも一方側の面が非球面で、物体側に凸面を向けた負メニスカスレンズであるため、周辺光量の低下を抑制することができる。従って、広い画角範囲において、シンチレーショ
ン光を適正に集光することができる。さらに、第１レンズの像側の面の有効径Ｄ12、および第１レンズの像側の面のサグ量Ｓ12が上記の式を満たしているため、非点収差を改善することができる。
【０００８】
本発明において、前記第２レンズは、物体側に凸面を向けていることが好ましい。
【０００９】
本発明において、最大画角が８０°以上であることが好ましい。かかる構成によれば、シンチレータに対して設ける放射線画像検出用レンズ装置の数が少なく済む。
【００１０】
本発明において、前記第１レンズ、前記第２レンズ、および前記第３レンズを含むレンズ系全体のＦ値が２以下であることが好ましい。かかる構成によれば、明るい画像を得ることができる。
【００１１】
本発明において、前記第１レンズの像側の面の中心における曲率半径をＲ12とし、前記第１レンズ、前記第２レンズ、および前記第３レンズを含むレンズ系全体の焦点距離をｆとしたとき、曲率半径Ｒ12および焦点距離ｆは、以下の式
Ｒ12／ｆ  ≦  ０．９
を満たすことが好ましい。かかる構成によれば、非点収差を改善することができる。
【００１２】
本発明において、前記第２レンズはガラスレンズからなることが好ましい。かかる構成によれば、温度特性を向上することができる。
【００１３】
本発明において、前記第２レンズの屈折率をｎ2とし、前記第２レンズのアッベ数をν2とし、前記第３レンズのアッベ数をν3としたとき、
前記屈折率ｎ2、アッベ数ν2、およびアッベ数ν3は、以下の２つの式
１．７  ＜  ｎ2
ν3／ν2  ＜１．６
のいずれをも満たすことが好ましい。かかる構成によれば、シンチレーション光に含まれる各波長域の光を適正に集光することができる。
【００１４】
本発明において、前記第１レンズの像側のコバ部には遮光層が形成されていることが好ましい。かかる構成によれば、迷光に起因するゴーストフレアの発生を抑制することができる。
【発明の効果】
【００１５】
本発明では、シンチレータから出射されるシンチレーション光では、波長域が狭いので、色収差に対する対策を重要視する必要がない。このため、画角や明るさの向上を優先して、レンズの枚数を３枚とすることができる。それ故、放射線画像検出用レンズ装置のコストを低減することができるとともに、光軸方向のサイズを小型化することができる。また、レンズ数が少ないため、ゴーストフレアが発生しにくい。また、第１レンズは、少なくとも一方側の面が非球面で、物体側に凸面を向けた負メニスカスレンズであるため、周辺光量の低下を抑制することができる。従って、広い画角範囲において、シンチレーション光を適正に集光することができる。さらに、第１レンズの像側の面の有効径、および第１レンズの像側の面のサグ量が上記の式を満たしているため、非点収差を改善することができる。
【図面の簡単な説明】
【００１６】
【図１】本発明を適用した放射線画像検出用レンズ装置の説明図である。
【図２】本発明の実施例１に係る放射線画像検出用レンズ装置のレンズ等を示す説明図である。
【図３】本発明の実施例１に係る放射線画像検出用レンズ装置のＭＴＦ特性のシミュレーション結果を示す説明図である。
【図４】本発明の実施例１に係る放射線画像検出用レンズ装置の横収差等のシミュレーション結果を示す説明図である。
【図５】本発明の実施例１に係る放射線画像検出用レンズ装置の球面収差等のシミュレーション結果を示す説明図である。
【図６】本発明の実施例２に係る放射線画像検出用レンズ装置のレンズ等を示す説明図である。
【図７】本発明の実施例２に係る放射線画像検出用レンズ装置のＭＴＦ特性のシミュレーション結果を示す説明図である。
【図８】本発明の実施例２に係る放射線画像検出用レンズ装置の横収差等のシミュレーション結果を示す説明図である。
【図９】本発明の実施例２に係る放射線画像検出用レンズ装置の球面収差等のシミュレーション結果を示す説明図である。
【図１０】本発明の実施例３に係る放射線画像検出用レンズ装置のレンズ等を示す説明図である。
【図１１】本発明の実施例３に係る放射線画像検出用レンズ装置のＭＴＦ特性のシミュレーション結果を示す説明図である。
【図１２】本発明の実施例３に係る放射線画像検出用レンズ装置の横収差等のシミュレーション結果を示す説明図である。
【図１３】本発明の実施例３に係る放射線画像検出用レンズ装置の球面収差等のシミュレーション結果を示す説明図である。
【発明を実施するための形態】
【００１７】
以下に、図面を参照して、本発明を適用した放射線画像検出用レンズ装置を説明する。なお、以下に参照する図１、図２、図６、図１０、表１、表２、表３において、各面１〜１０を括弧書きで示してあり、各面は、以下の面を指している。
第１面（１）・・シンチレータ２０
第２面（２）・・第１レンズ１の物体側のレンズ面１１
第３面（３）・・第１レンズ１の像側のレンズ面１２
第４面（４）・・第２レンズ２の物体側のレンズ面２１
第５面（５）・・第２レンズ２の像側のレンズ面２２
第６面（６）・・絞り４
第７面（７）・・第３レンズ３の物体側のレンズ面３１
第８面（８）・・第３レンズ３の像側のレンズ面３２
第９面（９）・・フィルタ８
第１０面（１０）・・撮像素子５
【００１８】
図１は、本発明を適用した放射線画像検出用レンズ装置１０の説明図である。図１に示す放射線画像検出用レンズ装置１０は、シンチレータ２０から出射されたシンチレーション光を集光する光学装置である。かかる放射線画像検出用レンズ装置１０では、例えば、レントゲン撮影の際、Ｘ線管（図示せず）から出射されたＸ線のうち、被写体（図示せず）を透過したＸ線がシンチレータ２０（Ｘ線シンチレータ）に入射すると、シンチレータ２０は、蛍光からなるシンチレーション光を発生させる。従って、シンチレーション光を放射線画像検出用レンズ装置１０によって撮像素子５に集光すれば、放射線画像（レントゲン画像）を得ることができる。本形態では、シンチレーション光は、０．５５０μｍを中心波長とする可視光である。
【００１９】
本形態において、放射線画像検出用レンズ装置１０は、物体側から像側に第１レンズ１、第２レンズ２、絞り４、および第３レンズ３が順に配置されており、第１レンズ１、第
２レンズ２、絞り４、および第３レンズ３は、筒状のホルダ９に保持されている。その際、第１レンズ１と第２レンズ２との間には、円筒状の第１中間環６が配置される。また、絞り４は、第２レンズ２と第３レンズ３との間に配置された第２中間環７の物体側の端部によって構成されている。
【００２０】
ホルダ９には、物体側から像側に向けて、大径部９１、大径部９１より外径が小さい中径部９２、および中径部９２より外径が小さい小径部９３が順に形成されている。大径部９１の内側には第１レンズ１が配置され、中径部９２の内側には第１中間環６および第２レンズ２が配置され、小径部９３の内側には第２中間環７および第３レンズ３が配置されている。
【００２１】
第１レンズ１は、少なくとも一方側の面が非球面で、物体側に凸面を向けた負メニスカスレンズである。第２レンズ２は、像側に凸面を向けた正レンズである。本形態において、第２レンズ２は、像側に加えて、物体側も凸面を向けた両凸レンズである。第３レンズ３は、像側に凸面を向けた正レンズである。
【００２２】
ここで、第１レンズ１の像側のレンズ面１２（第３面（３））の有効径をＤ12とし、第１レンズ１の像側のレンズ面１２（第３面（３））のサグ量をＳ12としたとき、有効径Ｄ12およびサグ量Ｓ12は、以下の式
０．８  ＜  （Ｄ12／２）／Ｓ12  ＜１．３  ・・条件式（１）
を満たしている。
【００２３】
このように、本形態の放射線画像検出用レンズ装置１０において、シンチレータ２０から出射されるシンチレーション光では、波長域が狭いので、色収差に対する対策を重要視する必要がない。このため、画角や明るさの向上を優先して、レンズの枚数を３枚としてある。それ故、放射線画像検出用レンズ装置１０のコストを低減することができるとともに、光軸方向のサイズを小型化することができる。また、レンズ数が少ないため、ゴーストフレアが発生しにくい。また、第１レンズ１は、少なくとも一方側の面が非球面で、物体側に凸面を向けた負メニスカスレンズであるため、周辺光量の低下を抑制することができる。従って、広い画角範囲において、シンチレーション光を適正に集光することができる。さらに、第１レンズ１の像側のレンズ面の有効径Ｄ12、および第１レンズ１の像側のレンズ面１２のサグ量Ｓ12が上記の式を満たしているため、非点収差を改善することができる。なお、条件式（１）において、（Ｄ12／２）／Ｓ12が０．８以下の場合には十分なパワーを得ることができない一方、（Ｄ12／２）／Ｓ12が１．３以上の場合、非点収差が大きくなる。
【００２４】
また、本形態において、最大画角が８０°以上である。このため、シンチレータ２０に対して設ける放射線画像検出用レンズ装置の数が少なく済む。
【００２５】
また、第１レンズ１、第２レンズ２、および第３レンズ３を含むレンズ系全体のＦ値が２以下である。このため、明るい画像を得ることができる。
【００２６】
また、第１レンズ１の像側のレンズ面の中心における曲率半径をＲ12とし、第１レンズ１、第２レンズ２、および第３レンズ３を含むレンズ系全体の焦点距離をｆとしたとき、曲率半径Ｒ12および焦点距離ｆは、以下の式
Ｒ12／ｆ  ≦  ０．９  ・・条件式（２）
を満たしている。このため、非点収差を改善することができる。
【００２７】
ここで、第２レンズ２はガラスレンズからなる。このため、温度特性を向上することができる。
【００２８】
また、第２レンズ２の屈折率をｎ2とし、第２レンズ２のアッベ数をν2とし、第３レンズ３のアッベ数をν3としたとき、
屈折率ｎ2、アッベ数ν2、およびアッベ数ν3は、以下の２つの式
１．７  ＜  ｎ2  ・・条件式（３）
ν3／ν2  ＜１．６・・条件式（４）
のいずれをも満たしている。このため、シンチレーション光に含まれる各波長域の光を適正に集光することができる。
【００２９】
本形態において、第１レンズ１のコバ部１３の像側には、いわゆる墨と称せられる遮光層１４が形成されている。このため、コバ部１３に入射した迷光に起因するゴーストフレアの発生を抑制することができる。
【００３０】
［実施例１］
図２は、本発明の実施例１に係る放射線画像検出用レンズ装置１０のレンズ等を示す説明図である。図３は、本発明の実施例１に係る放射線画像検出用レンズ装置１０のＭＴＦ（Modulation Transfer Function）特性のシミュレーション結果を示す説明図であり、図３（ａ）、（ｂ）、（ｃ）は、常温（＋２５℃）のＭＴＦ特性を示す説明図、−１０℃のＭＴＦ特性を示す説明図、および＋６０℃のＭＴＦ特性を示す説明図である。図３では、中心からの距離が０ｍｍおよび２．６１ｍｍにおけるＭＴＦ特性を示してあり、サジタル方向の特性にはＳを付し、タンジェンシャル方向の特性にはＴを付してある。図４は、本発明の実施例１に係る放射線画像検出用レンズ装置１０の横収差等のシミュレーション結果を示す説明図であり、図４（ａ）、（ｂ）は、中心からの距離が０ｍｍ、２．６１ｍｍにおける横収差の説明図、および非点収差等の説明図である。図４（ｂ）には、ディストーションも示してある。ディストーションは、撮像中央部と周辺部における像の変化比率を示し、ディストーションをあらわす数値の絶対値が小さいほど、高精度なレンズ系といえる。なお、図４（ｂ）では、サジタル方向の特性にはＳを付し、タンジェンシャル方向の特性にはＴを付してある。図５は、本発明の実施例１に係る放射線画像検出用レンズ装置１０の球面収差等のシミュレーション結果を示す説明図であり、図５（ａ）、（ｂ）は、球面収差の説明図、および各波長域（０．５４０μｍ、０．５５０μｍ、０．５６０μｍ）の光における倍率色収差の説明図である。
【００３１】
図２に示すように、本例の放射線画像検出用レンズ装置１０は、図１を参照して説明したように、物体側から像側に第１レンズ１、第２レンズ２、絞り４、および第３レンズ３が順に配置されている。このように構成した放射線画像検出用レンズ装置１０の各構成は、表１に示す通りであり、表１の上から第１欄には、放射線画像検出用レンズ装置１０の有効焦点距離（ｆ：Effective Focal Length）、物像間距離（Total Track）、レンズ系全体のＦ値（Image Space F／＃）、最大画角（Max.Field of Angle）が示されている。Ｆ値は、レンズ系全体の明るさを示す指標である。
【００３２】
【表１】
2017003639.tif 000003
【００３３】
表１の上から第２欄には、放射線画像検出用レンズ装置１０の各面の曲率半径（Radius）、厚さ（Thickness）、屈折率Ｎｄ、アッベ数νｄ、焦点距離ｆn、サグ量ｓａｇが示されている。
【００３４】
表１の上から第３欄および第４欄には、放射線画像検出用レンズ装置１０の各面のうち、非球面の形状を下式（数１）で表した際の非球面係数Ａ3〜Ａ10、Ａ12、Ａ14，およびＡ16が示されている。下式においては、光軸Ｌ方向の軸をＺ、光軸Ｌと垂直な方向の高さをｒ、円錐係数をＫとし、中心曲率をｃとしてある。また、各値の単位はいずれもｍｍである。なお、後述する表２、３でも同様である。
【００３５】
【数１】
2017003639.tif 000004
【００３６】
図２および表１からわかるように、本例の放射線画像検出用レンズ装置１０において、第１レンズ１は、物体側のレンズ面１１（第２面（２））が凸状の非球面で、像側のレンズ面１２（第３面（３））が凹状の非球面からなるメニスカスレンズであり、負のパワー
を有している。第１レンズ１はプラスチックレンズからなる。第１レンズ１のコバ部１３の像側には、いわゆる墨と称せられる遮光層１４が形成されている。
【００３７】
第２レンズ２は、物体側のレンズ面２１（第４面（４））が凸状の非球面で、像側のレンズ面２２（第５面（５））が凸状の非球面からなる両凸レンズであり、正のパワーを有している。第２レンズ２はガラスレンズからなる。
【００３８】
第３レンズ３は、物体側のレンズ面３１（第７面（７））が凸状の非球面で、像側のレンズ面３２（第８面（８））が凸状の非球面からなる両凸レンズであり、正のパワーを有している。第３レンズ３はプラスチックレンズからなる。
【００３９】
ここで、第１レンズ１のレンズ面１２（第３面（３））の有効径Ｄ12は６．４２７ｍｍであり、第１レンズ１のレンズ面１２（第３面（３））のサグ量Ｓ12は２．９４である、従って、（Ｄ12／２）／Ｓ12は、１．０９であり、条件式（１）を満たしている。また、最大画角が８６．１°であり、８０°以上である。第１レンズ１、第２レンズ２、および第３レンズ３を含むレンズ系全体のＦ値が１．５であり、２以下である。第１レンズ１のレンズ面１２（第３面（３））の中心における曲率半径Ｒ12は、２．０６１ｍｍであり、第１レンズ１、第２レンズ２、および第３レンズ３を含むレンズ系全体の焦点距離ｆは２．６８２である。従って、Ｒ12／ｆは、０．７７であり、０．９以下である。従って、条件式（２）を満たしている。また、第２レンズ２の屈折率ｎ2は、１．８０６であり、条件式（３）を満たしている。また、第２レンズ２のアッベ数ν2は４０．７であり、第３レンズ３のアッベ数ν3は５５．８である。従って、ν3／ν2は、１．３７であり、条件式（４）を満たしている。
【００４０】
従って、本例の放射線画像検出用レンズ装置１０は、図３、図４および図５に示す光学特性を有しており、少ない枚数のレンズ構成で、画角等を向上することのできる等、図１を参照して説明した効果等を奏する。
【００４１】
［実施例２］
図６は、本発明の実施例２に係る放射線画像検出用レンズ装置１０のレンズ等を示す説明図である。図７は、本発明の実施例２に係る放射線画像検出用レンズ装置１０のＭＴＦ特性のシミュレーション結果を示す説明図であり、図７（ａ）、（ｂ）、（ｃ）は、常温（＋２５℃）のＭＴＦ特性を示す説明図、−１０℃のＭＴＦ特性を示す説明図、および＋６０℃のＭＴＦ特性を示す説明図である。図７では、中心からの距離が０ｍｍおよび２．６１ｍｍにおけるＭＴＦ特性を示してあり、サジタル方向の特性にはＳを付し、タンジェンシャル方向の特性にはＴを付してある。図８は、本発明の実施例２に係る放射線画像検出用レンズ装置１０の横収差等のシミュレーション結果を示す説明図であり、図８（ａ）、（ｂ）は、中心からの距離が０ｍｍ、２．６１ｍｍにおける横収差の説明図、および非点収差等の説明図である。図８（ｂ）には、ディストーションも示してある。なお、図８（ｂ）では、サジタル方向の特性にはＳを付し、タンジェンシャル方向の特性にはＴを付してある。図９は、本発明の実施例２に係る放射線画像検出用レンズ装置１０の球面収差等のシミュレーション結果を示す説明図であり、図９（ａ）、（ｂ）は、球面収差の説明図、および各波長域（０．５４０μｍ、０．５５０μｍ、０．５６０μｍ）の光における倍率色収差の説明図である。
【００４２】
図６に示すように、本例の放射線画像検出用レンズ装置１０は、図１を参照して説明したように、物体側から像側に第１レンズ１、第２レンズ２、絞り４、および第３レンズ３が順に配置されている。このように構成した放射線画像検出用レンズ装置１０の各構成は、表２に示す通りである。
【００４３】
【表２】
2017003639.tif 000005
【００４４】
図６および表２からわかるように、本例の放射線画像検出用レンズ装置１０において、第１レンズ１は、物体側のレンズ面１１が凸状の非球面で、像側のレンズ面１２が凹状の非球面からなるメニスカスレンズであり、負のパワーを有している。第１レンズ１はプラスチックレンズからなる。第１レンズ１のコバ部１３の像側には、いわゆる墨と称せられる遮光層１４が形成されている。
【００４５】
第２レンズ２は、物体側のレンズ面２１が凸状の非球面で、像側のレンズ面２２が凸状の非球面からなる両凸レンズであり、正のパワーを有している。第２レンズ２はガラスレンズからなる。
【００４６】
第３レンズ３は、物体側のレンズ面３１が凸状の非球面で、像側のレンズ面３２が凸状の非球面からなる両凸レンズであり、正のパワーを有している。第３レンズ３はプラスチックレンズからなる。
【００４７】
ここで、第１レンズ１のレンズ面１２の有効径Ｄ12は６．４９８ｍｍであり、第１レンズ１のレンズ面１２のサグ量Ｓ12は３．０１である、従って、（Ｄ12／２）／Ｓ12は、１．０８であり、条件式（１）を満たしている。また、最大画角が８６．１°であり、８０°以上である。第１レンズ１、第２レンズ２、および第３レンズ３を含むレンズ系全体のＦ値が１．５であり、２以下である。第１レンズ１のレンズ面１２の中心における曲率半径Ｒ12は、２．１０３ｍｍであり、第１レンズ１、第２レンズ２、および第３レンズ３を含むレンズ系全体の焦点距離ｆは２．６５８である。従って、Ｒ12／ｆは、０．７９であ
り、０．９以下である。従って、条件式（２）を満たしている。また、第２レンズ２の屈折率ｎ2は、１．８０６であり、条件式（３）を満たしている。また、第２レンズ２のアッベ数ν2は４０．７であり、第３レンズ３のアッベ数ν3は５５．８である。従って、ν3／ν2は、１．３７であり、条件式（４）を満たしている。
【００４８】
従って、本例の放射線画像検出用レンズ装置１０は、図７、図８および図９に示す光学特性を有しており、少ない枚数のレンズ構成で、画角等を向上することのできる等、図１を参照して説明した効果等を奏する。
【００４９】
［実施例３］
図１０は、本発明の実施例３に係る放射線画像検出用レンズ装置１０のレンズ等を示す説明図である。図１１は、本発明の実施例３に係る放射線画像検出用レンズ装置１０のＭＴＦ特性のシミュレーション結果を示す説明図であり、図１１（ａ）、（ｂ）、（ｃ）は、常温（＋２５℃）のＭＴＦ特性を示す説明図、−１０℃のＭＴＦ特性を示す説明図、および＋６０℃のＭＴＦ特性を示す説明図である。図１１では、中心からの距離が０ｍｍおよび２．６１ｍｍにおけるＭＴＦ特性を示してあり、サジタル方向の特性にはＳを付し、タンジェンシャル方向の特性にはＴを付してある。図１２は、本発明の実施例２に係る放射線画像検出用レンズ装置１０の横収差等のシミュレーション結果を示す説明図であり、図１２（ａ）、（ｂ）は、中心からの距離が０ｍｍ、２．６１ｍｍにおける横収差の説明図、および非点収差等の説明図である。図１２（ｂ）には、ディストーションも示してある。なお、図１２（ｂ）では、サジタル方向の特性にはＳを付し、タンジェンシャル方向の特性にはＴを付してある。図１３は、本発明の実施例２に係る放射線画像検出用レンズ装置１０の球面収差等のシミュレーション結果を示す説明図であり、図１３（ａ）、（ｂ）は、球面収差の説明図、および各波長域（０．５４０μｍ、０．５５０μｍ、０．５６０μｍ）の光における倍率色収差の説明図である。
【００５０】
図１０に示すように、本例の放射線画像検出用レンズ装置１０は、図１を参照して説明したように、物体側から像側に第１レンズ１、第２レンズ２、絞り４、および第３レンズ３が順に配置されている。このように構成した放射線画像検出用レンズ装置１０の各構成は、表３に示す通りである。
【００５１】
【表３】
2017003639.tif 000006
【００５２】
図１０および表３からわかるように、本例の放射線画像検出用レンズ装置１０において、第１レンズ１は、物体側のレンズ面１１が凸状の非球面で、像側のレンズ面１２が凹状の非球面からなるメニスカスレンズであり、負のパワーを有している。第１レンズ１はプラスチックレンズからなる。第１レンズ１のコバ部１３の像側には、いわゆる墨と称せられる遮光層１４が形成されている。
【００５３】
第２レンズ２は、物体側のレンズ面２１が凸状の非球面で、像側のレンズ面２２が凸状の非球面からなる両凸レンズであり、正のパワーを有している。第２レンズ２はガラスレンズからなる。
【００５４】
第３レンズ３は、物体側のレンズ面３１が凸状の非球面で、像側のレンズ面３２が凸状の非球面からなる両凸レンズであり、正のパワーを有している。第３レンズ３はプラスチックレンズからなる。
【００５５】
ここで、第１レンズ１のレンズ面１２の有効径Ｄ12は６．３９４ｍｍであり、第１レンズ１のレンズ面１２のサグ量Ｓ12は２．９３である、従って、（Ｄ12／２）／Ｓ12は、１．０９であり、条件式（１）を満たしている。また、最大画角が８６．２°であり、８０°以上である。第１レンズ１、第２レンズ２、および第３レンズ３を含むレンズ系全体のＦ値が１．５であり、２以下である。第１レンズ１のレンズ面１２の中心における曲率半径Ｒ12は、２．０５０ｍｍであり、第１レンズ１、第２レンズ２、および第３レンズ３を含むレンズ系全体の焦点距離ｆは２．６７９である。従って、Ｒ12／ｆは、０．７７であり、０．９以下である。従って、条件式（２）を満たしている。また、第２レンズ２の屈
折率ｎ2は、１．７６８であり、条件式（３）を満たしている。また、第２レンズ２のアッベ数ν2は４９．２であり、第３レンズ３のアッベ数ν3は５５．８である。従って、ν3／ν2は、１．１３であり、条件式（４）を満たしている。
【００５６】
従って、本例の放射線画像検出用レンズ装置１０は、図１１、図１２および図１３に示す光学特性を有しており、少ない枚数のレンズ構成で、画角等を向上することのできる等、図１を参照して説明した効果等を奏する。
【符号の説明】
【００５７】
１・・第１レンズ
２・・第２レンズ
３・・第３レンズ
４・・絞り
１０・・射線画像検出用レンズ装置
１３・・コバ部
１４・・遮光層
２０・・シンチレータ
【図１】
2017003639.tif 000007
【図２】
2017003639.tif 000008
【図３】
2017003639.tif 000009
【図４】
2017003639.tif 000010
【図５】
2017003639.tif 000011
【図６】
2017003639.tif 000012
【図７】
2017003639.tif 000013
【図８】
2017003639.tif 000014
【図９】
2017003639.tif 000015
【図１０】
2017003639.tif 000016
【図１１】
2017003639.tif 000017
【図１２】
2017003639.tif 000018
【図１３】
2017003639.tif 000019